(57)【要約】【課題】緩衝部材を支持する支持部材を複数箇所で脚体の横架部に固定できるようにして緩衝部材の安定支持と強度維持を確保する構造を備えた椅子を提供する。【解決手段】座部１１の下面側に脚体１３が取り付けられ、この脚体１３は、座部１１の下面側に位置する横架部１６を備えて構成されている。横架部１６には支持部材２０を介してゴム等からなる緩衝部材２１が取り付けられている。支持部材２０は、緩衝部材２１を広い面積にて支持する第１の平面部２３と、この第１の平面部２３に中間部材２４を介して面位置が異なる高さで連設された第２の平面部２５とを備える。第１の平面部２３及び第２の平面部２５の各側端部は横架部１６の外周に溶接等の手法により連結され、更に、第２の平面部２５は、ねじ２６を介して座部１１の下面に固定される。【選択図】図４
2008161401.tif 000002
【特許請求の範囲】
【請求項１】
座部と、この座部の下面側に設けられるとともに当該座部の下面に沿う横架部を含む脚体と、前記座部の下面側に位置する緩衝部材とを備えた椅子において、
前記緩衝部材を支持する支持部材を含み、当該支持部材は、前記緩衝部材を支持する第１の平面部と、当該第１の平面部に中間部材を介して高さ位置が異なる状態で連設された第２の平面部とを含み、
前記第１の平面部と第２の平面部は、前記横架部にそれぞれ連結されていることを特徴とする椅子。
【請求項２】
前記第２の平面部は、前記座部にも連結されていることを特徴とする請求項１記載の椅子。
【請求項３】
前記中間部材の側端は、前記横架部の一部を受容する形状に設けられていることを特徴とする請求項１又は２記載の椅子。
【発明の詳細な説明】
【技術分野】
【０００１】
本発明は、椅子に係り、特に、スタッキングを可能とした椅子の下面側に位置する緩衝部材を安定して支持することのできる椅子に関する。
【背景技術】
【０００２】
従来より、座部が相互に略平行な姿勢となる状態で上下にスタッキング可能な椅子が知られている。このタイプの椅子は、座部の下面側に位置するパイプ材等からなる横架部に緩衝部材を取り付ける構成が一般的であり、これにより、スタッキングした際の座部の傷つき等を防止できるようになっている（例えば、特許文献１参照）。
【０００３】
【特許文献１】特開２００４−１８０９０７号公報
【発明の開示】
【発明が解決しようとする課題】
【０００４】
しかしながら、特許文献１の椅子にあっては、ねじを介して緩衝部材が横架部に直接取り付けられる構成となっている。そのため、例えば、横架部の断面形状が略円形となるパイプにより構成されている場合には、安定した支持を行うことが難しいばかりでなく、ねじれ等の外力が付与された時の剛性に乏しい、という不都合がある。
【０００５】
［発明の目的］
本発明は、このような不都合に着目して案出されたものであり、その目的は、緩衝部材を平面にて支持する支持部材を用い、当該支持部材を複数箇所で横架部に固定できるようにして緩衝部材の安定支持と強度維持を確保する構造を備えた椅子を提供することにある。
【課題を解決するための手段】
【０００６】
前記目的を達成するため、本発明は、座部と、この座部の下面側に設けられるとともに当該座部の下面に沿う横架部を含む脚体と、前記座部の下面側に位置する緩衝部材とを備えた椅子において、
前記緩衝部材を支持する支持部材を含み、当該支持部材は、前記緩衝部材を支持する第１の平面部と、当該第１の平面部に中間部材を介して高さ位置が異なる状態で連設された第２の平面部とを含み、
前記第１の平面部と第２の平面部は、前記横架部にそれぞれ連結される、という構成を採っている。
【０００７】
本発明において、前記第２の平面部は、前記座部にも連結されるように構成することができる。
【０００８】
また、前記中間部材の側端は、前記横架部の一部を受容する形状に設けられる、という構成を採ることが好ましい。
【発明の効果】
【０００９】
本発明によれば、支持部材が第１及び第２の平面部を有し、第１の平面部に緩衝部材を支持させるとともに、各平面部を横架部にそれぞれ連結される構成としたことで、横架部に対して支持部材が安定した状態に保たれることとなる。しかも、緩衝部材の支持を強固に行うことができるため、上下方向の外力のみならず、横方向のねじれ等の外力に対しても十分な耐久性を維持することができる。
【００１０】
また、前記第２の平面部が座部にも連結される構成とした場合には、いわゆる三点支持状態となり、平面部の取付強度を一層高めることができる。
【００１１】
更に、第１及び第２の平面部の間に位置する中間部材の側端が横架部の一部を受容する形状であれば、支持部材を横架部に連結する際の位置決めを容易且つ迅速に行うことが可能となり、第２の平面部を座部に連結する際の位置的精度を良好に保つことができる。
【発明を実施するための最良の形態】
【００１２】
以下、本発明の実施の形態を図面を参照しながら説明する。
【００１３】
図１及び図２には、本実施形態に係る椅子の正面図及び右側面図が示され、図３には、椅子を反転した状態の概略斜視図が示されている。これらの図において、椅子１０は、平面視略方形をなす座部１１と、当該座部１１の後端側に位置する背部１２と、座部１１の下面側に設けられた脚体１３とを備えて構成されている。本実施形態における座部１１及び背部１２は一体の構造体とされているが、これら座部１１及び背部１２は、別体として相互に連結する構成としてもよい。
【００１４】
前記脚体１３は、図３に示されるように、一対の脚ユニット１５により構成されている。これら脚ユニット１５は相互に対称形状をなし、それぞれパイプ材により構成されている。各脚ユニット１５は、平面視略コ字状をなす横架部１６と、当該横架部１６の両端に連なる脚部１７とによりそれぞれ構成されている。横架部１６は、相互に略平行に設けられるとともに、前記脚部１７に連なる屈曲部１６Ａ、１６Ａと、これら屈曲部１６Ａの端部間に位置して座部１１の下面側中央を横切る中央部１６Ｂとからなり、相互に対称配置される中央部１６Ｂ、１６Ｂが溶接等の手段を介して連結されるようになっている。また、脚部１７は、先端（図３中上端）に向かうに従って隣り合う脚部１７との離間距離が大きくなるように傾斜した方向に延び、これにより、椅子１０のスタッキングが可能となっている。
【００１５】
前記横架部１６には支持部材２０を介して緩衝部材２１が設けられている。支持部材２０は、前記屈曲部１６Ａにそれぞれ連結されており、本実施形態では、座部１１の各コーナー０近傍に配置されて合計４箇所に設けられている。この支持部材２０は、図４ないし図６に示されるように、前記緩衝部材２１を支持する第１の平面部２３と、当該第１の平面部２３に中間部材２４を介して高さ位置が異なる状態で連設された第２の平面部２５とからなる。第１の平面部２３と第２の平面部２５は、平面視略方形の板状に設けられているとともに、相互に略平行な面内に位置し、それらの側端部を前記屈曲部１６Ａに突き合わせて溶接部Ｗを形成することにより、支持部材２０が屈曲部１６Ａの周方向二箇所において連結されるようになっている。ここで、第１の平面部２３の中央領域には、図６に示されるように、緩衝部材２１を固定するためのねじ孔２３Ａが形成されている一方、第２の平面部２５には、その中央領域に、当該第２の平面部２５を座部１１下面側にねじ２６で固定するための穴２５Ａが形成されている。
【００１６】
前記中間部材２４は、第１及び第２の平面部２３，２５の面に対して略直交する方向に向けられており、支持部材２０を側端から見たときに略クランク状をなすようになっている。中間部材２４の側端は緩やかな円弧形状をなし、当該中間部材２４の高さ方向における中央部左右幅が最も小さくなる凹部２４Ａを備えた形状に設けられている。この凹部２４Ａの曲率は、横架部１６を構成するパイプの曲率に略対応しており、これにより、凹部２４Ａに横架部１６すなわち前記屈曲部１６Ａを受容し得るようになっている。ここで、支持部材２０の高さＨ（図６参照）は、特に限定されるものではないが、脚体１３を構成するパイプ材の直径に略対応する高さに設けられている。
【００１７】
前記緩衝部材２１はゴム等のクッション性を有する材料により構成されている。この緩衝部材２１は、図４ないし図６に示されるように、第１の平面部２３に接地する略円形の取付面３０と、図４中上方に向かうに従って小径化されたテーパ部３１と、前記取付面３０に相対する端面３３とからなり、当該端面３３の略中央部に、緩衝部材２１の取付穴３５が形成されている。この緩衝部材２１は、ねじ３６を取付穴３５に挿入し、ねじ３６を前記第１の平面部２３に形成されたねじ穴２３Ａにねじ込むことにより固定される。
【００１８】
次に、本実施形態における椅子の組み立て方法と作用について説明する。
【００１９】
一対の脚ユニット１５において、前記屈曲部１６Ａ、１６Ａに、支持部材２０を連結する。この連結は、図５に示されるように、第１の平面部２３及び第２の平面部２５の図中左側端部と、屈曲部１６Ａの外周面との突き合わせ領域に溶接部Ｗをそれぞれ形成することにより行われる。この際、中間部材２４の凹部２４Ａ内に、屈曲部１６Ａの一部を受容させることにより、相互位置合わせを容易に行うことができる。そして、ねじ３６を介して、緩衝部材２１を第１の平面部２３に固定する。
【００２０】
このようにして形成された脚体１３は、座部１１の下面に配置され、前記横架部１６の複数箇所を図示しないねじで固定する一方、前記第２の平面部２５と座部１１の下面とをねじ２６で相互に連結することで、椅子１０を最終的に完成させることができる。
【００２１】
複数の椅子１０をスタッキングしたときは、前記緩衝部材２１における端面３３が下方に位置する座部１１の上面側に接地することとなる。第１及び第２の平面部２３，２５は屈曲部１６Ａに溶接固定されており、しかも、第２の平面部２５がねじ２６により座部１１に固定されているため、いわゆる三点支持構造となり、スタッキングに際して横方向や捻れ方向に意図しない外力が付与されることがあっても十分な耐久強度を発揮し、これにより、緩衝部材２１の支持を安定させることができる。しかも、緩衝部材２１の支持は第１の平面部２３により行われ、当該第１の平面部２３に取付面３０が広い面積をもって接地した状態でねじ止めされるものであるため、緩衝部材２１自体の支持も強固に行うことができる。
【００２２】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材質、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、前記脚体１３は、図示構成例に限定されるものではなく、門型をなす一対の脚ユニットを設け、これら脚ユニットの上部間に横架部を掛け渡して相互に連結する構成等が例示できる。
【００２４】
また、支持部材２０は、第１及び第２の平面部２３，２５を設けるものとしたが、第１の平面部の両側に、第２の平面部を対称配置させ、これらの端部を横架部に連結するようにしてもよい。これによれば、支持部材２０の取付強度を更に強固なものとすることができ、緩衝部材２１の支持安定性を更に高めることができる。
【００２５】
また、緩衝部材２１の形状も図示構成例に限らず、一定の緩衝効果を奏することができる限りにおいて設計変更を行うことができる。
【図面の簡単な説明】
【００２６】
【図１】実施形態に係る椅子の正面図。
【図２】図１の右側面図。
【図３】前記椅子を反転した状態における拡大斜視図。
【図４】図３の一部拡大図。
【図５】要部拡大断面図。
【図６】支持部材と緩衝部材とを分解した状態を示す側面図。
【符号の説明】
【００２７】
１０  椅子
１１  座部
１３  脚体
１６  横架部
２０  支持部材
２１  緩衝部材
２３  第１の平面部
２４  中間部材
２４Ａ  凹部
２５  第２の平面部
【図１】
2008161401.tif 000003
【図２】
2008161401.tif 000004
【図３】
2008161401.tif 000005
【図４】
2008161401.tif 000006
【図５】
2008161401.tif 000007
【図６】
2008161401.tif 000008